(57)【要約】【課題】  従来から、照明器具に用いられるランプソケットや点灯装置のように外郭から外部に導出される電線を備え、取付面に取付けられる電気器具については、外部に導出される電線は、電気器具に近接する箇所では保護体が剥がされたリード線として電気器具に接続されている。ここで、材料コスト及び施工コストを抑えた状態でリード線又はリード線接続部の破断を抑制することができる電気器具を提供する。【解決手段】  外郭から外部に導出される電線２を備え、取付面に取付けられる電気器具１であって、前記取付面４との間に前記電線２を挟持して張力止めする張力止め部３を外郭の一部に備えている。【選択図】図１
2006277959.tif 000002
【特許請求の範囲】
【請求項１】
外郭から外部に導出される電線を備え、取付面に取付けられる電気器具であって、前記取付面との間に前記電線を挟持して張力止めする張力止め部を外郭の一部に備えたことを特徴とする電気器具。
【発明の詳細な説明】
【技術分野】
【０００１】
本発明は、照明器具に用いられるランプソケットや点灯装置のように外郭から外部に導出される電線を備え、取付面に取付けられる電気器具に関するものである。
【背景技術】
【０００２】
従来から、照明器具に用いられるランプソケットや点灯装置のように外郭から外部に導出される電線を備え、取付面に取付けられる電気器具が知られている。この電気器具は照明装置などの取付面に取付られて照明装置を構成するもので、外部に導出される電線は、電気器具に近接する箇所では保護体が剥がされたリード線として電気器具に接続されている。
【０００３】
ここで、電線に張力がかかると、リード線又はリード線接続部が破損するおそれがあるため、特開平１１−２８３４３２号公報（特許文献１）に記載されているように、この電気器具には、リード線接続部に張力が加わらないように張力止め構造を設けていた。
【特許文献１】特開平１１−２８３４３２号公報
【発明の開示】
【発明が解決しようとする課題】
【０００４】
しかしながら、上記構成では、電気器具の取付とは別に張力止め構造を設ける必要があり、材料コスト及び施工コストが高くなるという可能性があった。
【０００５】
本願発明は、上記背景技術に鑑みてなされたものであり、その課題は、材料コスト及び施工コストを抑えた状態でリード線又はリード線接続部の破損を抑制することができる電気器具を提供することである。
【課題を解決するための手段】
【０００６】
上記課題を解決するために、本願発明は、外郭から外部に導出される電線を備え、取付面に取付けられる電気器具であって、前記取付面との間に前記電線を挟持して張力止めする張力止め部を外郭の一部に備えたことを特徴とする電気器具である。
【発明の効果】
【０００７】
本願発明によれば、この電気器具の取付面との間に電線を挟持して張力止めする張力止め部を外郭の一部に備えているので、電気器具の取付と同時に電線の張力止めを行うことができるので、電気器具の取付とは別に張力止め構造を設ける必要がなく、材料コスト及び施工コストを抑えた状態でリード線又はリード線接続部の破損を抑制することができる。
【発明を実施するための最良の形態】
【０００８】
本願の請求項１に対応した電気器具１の第一実施形態を図１により説明する。
【０００９】
本第一実施形態の電気器具１は、図１に示す如く、外郭から外部に導出される電線２を備え、取付面４に取付けられる電気器具１であって、前記取付面４との間に前記電線２を挟持して張力止めする張力止め部３を外郭の一部に備えたことを特徴とする。
【００１０】
以下、本第一実施形態による電気器具１の構成を、図１に基づき、より具体的詳細に説明する。
【００１１】
電気器具１は、凹部に図示しないランプ接続部が備えられ、ランプが装着支持されるランプソケットであり、上端が開口し下端が閉止されて、略円筒状の絶縁性の外郭を有するものである。外郭の下端側には金属製の取付脚７が備えられており、これを貫通するように取付ビス５、５で取付面４に取付、固定される。なおこの取付脚７は、外郭と一体に設けられていてもよい。
【００１２】
電線２は、芯線を絶縁皮膜で被覆した２本のリード線６、６を、さらに保護体で被覆一体化したもので、ランプソケットに装着支持される図示しないランプに電流を供給するものである。電線２は電気器具１の外郭の下端側で電気器具１に接続されており、この接続箇所の近傍で保護体が剥がされてリード線６、６が露出している。
【００１３】
張力止め部３は、取付脚７の一部が略円弧状に曲げられたものであり、取付脚７が取付面４に取付られた状態で、張力止め部３と取付面４の間に電線２の外径よりもやや小さい大きさの空隙を提供できるものである。
【００１４】
取付面４は、電気器具１が取付固定される照明器具本体を構成する板状の部材である。
【００１５】
次に、本第一実施形態による電気器具１の取付面４への取付について説明する。
【００１６】
まず、図１に示すごとく、リード線６、６が露出している間際の電線２を張力止め部３の略円弧状に曲げられた部分の内側に接触させる。次いで、取付脚７が取付面４の取付位置に当接されて、ビス５、５で取付、固定される。この状態で、張力止め部３と取付面４の間の空隙に電線２が挟持されることになり、電線２に張力が作用しても、リード線接続部に張力が加わらないようになる。
【００１７】
次に、本願の請求項１に対応した電気器具１の第二実施形態を図２により説明する。
【００１８】
以下、本第二実施形態による電気器具１の構成を、より具体的詳細に説明するが、電気器具１が、略直方体の外郭を有する点灯装置である以外は、上記第一実施形態と同じである。
【００１９】
次に、本第二実施形態による電気器具１の取付面４への取付について説明する。
【００２０】
この場合も、図２に示すごとく、リード線６が露出している間際の電線２を張力止め部３の略円弧状に曲げられた部分の内側に接触させる。次いで、取付脚７が取付面４の取付位置に当接されて、ビス５で取付、固定される。この状態で、張力止め部３と取付面４の間の空隙に電線２が挟持されることになり、電線２に張力が作用しても、リード線接続部に張力が加わらないようになる。
【００２１】
次に、本願の請求項１に対応した電気器具１の第三実施形態を図３及び図４により説明する。
【００２２】
以下、本第三実施形態による電気器具１の構成を、より具体的詳細に説明するが、上記第一実施形態と同じ部分については、説明を省略する。
【００２３】
電気器具１は、凹部に図示しないランプ接続部が備えられ、ランプが装着支持されるランプソケットであり、上端が開口し下端が閉止されて、略円筒状の絶縁性の外郭を有するものである。外郭の下端側には取付脚７が備えられており、これを貫通するように取付ビス５、５で取付面４に取付、固定される。なおこの取付脚７は、外郭と一体に設けられていてもよい。
【００２４】
張力止め部３は、電気器具１の下端側に設けられた略円弧状の溝であり、取付脚７が取付面４に取付られた状態で、張力止め部３と取付面４の間に電線２の外径よりもやや小さい大きさの空隙を提供できるものである。
【００２５】
次に、本第三実施形態による電気器具１の取付面４への取付について説明する。
【００２６】
まず、図３及び図４に示すごとく、リード線６、６が露出している間際の電線２を張力止め部３の略円弧状の溝の内側に接触させる。次いで、取付脚７が取付面４の取付位置に当接されて、ビス５、５で取付、固定される。この状態で、張力止め部３と取付面４の間の空隙に電線２が挟持されることになり、電線２に張力が作用しても、リード線接続部に張力が加わらないようになる。
【００２７】
次に、本願の請求項１に対応した電気器具１の第四実施形態を図５及び図６により説明する。
【００２８】
以下、本第四実施形態による電気器具１の構成を、より具体的詳細に説明するが、上記第一実施形態と同じ部分については、説明を省略する。
【００２９】
電気器具１は、略直方体の外郭を有する点灯装置である。外郭の下端側には取付脚７が備えられており、これを貫通するように取付ビス５で取付面４に取付、固定される。図２に示される点灯装置と相違するのは、リード線６の接続部が点灯装置の外郭の内部に設けられている点である。
【００３０】
張力止め部３は、電気器具１の下端側の一面に設けられた略円弧状の切り欠きであり、取付脚７が取付面４に取付られた状態で、張力止め部３と取付面４の間に電線２の外径よりもやや小さい大きさの空隙を提供できるものである。
【００３１】
次に、本第四実施形態による電気器具１の取付面４への取付について説明する。
【００３２】
この場合も、図５及び図６に示すごとく、リード線６が露出している間際の電線２を張力止め部３の略円弧状の切り欠きに接触させる。次いで、取付脚７が取付面４の取付位置に当接されて、ビス５で取付、固定される。この状態で、張力止め部３と取付面４の間の空隙に電線２が挟持されることになり、電線２に張力が作用しても、リード線接続部に張力が加わらないようになる。
【００３３】
従って、上記第一乃至第四実施形態によれば、取付面４との間に電線２を挟持して張力止めする張力止め部３を外郭の一部に備えているので、電気器具１の取付と同時に電線２の張力止めを行うことができるので、電気器具１の取付とは別に張力止め構造を設ける必要がなく、材料コスト及び施工コストを抑えた状態でリード線６又はリード線接続部の破損を抑制することができる。
【図面の簡単な説明】
【００３４】
【図１】本願発明の第一実施形態の斜視図
【図２】本願発明の第二実施形態の斜視図
【図３】本願発明の第三実施形態の斜視図
【図４】本願発明の第三実施形態のＡ−Ａ'断面図
【図５】本願発明の第四実施形態の斜視図
【図６】本願発明の第四実施形態のＢ−Ｂ'断面図
【符号の説明】
【００３５】
１      電気器具
２      電線
３      張力止め部
４      取付面
【図１】
2006277959.tif 000003
【図２】
2006277959.tif 000004
【図３】
2006277959.tif 000005
【図４】
2006277959.tif 000006
【図５】
2006277959.tif 000007
【図６】
2006277959.tif 000008